(57)【特許請求の範囲】
【請求項１】
保温状態又は保冷状態で収容された飲料により内部が減圧可能とされる容器本体(11)と、前記容器本体の上部開口に装着されると共に容器本体の内部に連通して該容器本体の上部開口よりも上方に向けて突出する筒状の飲口部材(12)を備えた肩部材(13)と、前記飲口部材(12)の飲口(12a)を閉鎖するシール手段(14)を備えると共に肩部材(13)に開閉自在に枢結されたキャップ手段(15)とから成り、
前記シール手段(14)は、飲口(12a)に対向するようにキャップ手段(15)から突設されると共にキャップ手段(15)の内側面に臨むスリットを設けた筒状手段(26)と、前記筒状手段(26)の先端側に着脱自在に周設され前記飲口(12a)を閉鎖する環状のシールパッキン(28)と、前記筒状手段(26)の先端を閉鎖する閉鎖部に貫設された通孔(30)と、前記閉鎖部の外側から通孔(30)を開閉自在に閉じる着脱自在な弁部材(31)を備えており、
前記弁部材(31)は、前記飲料の温度に起因して容器本体の内部が減圧されると飲口(12a)の内部に向け弾性変形して前記通孔(30)を開放し、容器本体の内部が大気圧に戻ると弾性復元して前記通孔(30)を閉鎖することにより、シールパッキン(28)が飲口(12a)に吸着されることを防止する差圧弁手段(32)を構成して成ることを特徴とする飲料容器。
【請求項２】
前記弁部材(31)は、前記閉鎖部の中心貫通孔に挿入される軸部(31a)と、該軸部(31a)から広がることにより前記通孔(30)を覆うと共に周縁部を前記閉鎖部の表面に弾接して密着する傘部(31c)を備え、前記傘部(31c)の周縁に下向きに突出する環状リブ(31d)を設けて成ることを特徴とする請求項１に記載の飲料容器。
【請求項３】
前記筒状手段(26)は、外径を飲口(12a)の内径(D)よりも小さく形成すると共に、前記シールパッキン(28)により飲口(12a)を閉鎖させた状態で、前記差圧弁手段(32)が飲口(12a)の内部に進入して位置するように構成して成ることを特徴とする請求項１又は２に記載の飲料容器。
【発明の詳細な説明】
【技術分野】
【０００１】
本発明は、飲料容器、特に、飲料を保温状態又は保冷状態で収容する携帯用魔法瓶等の飲料容器に関する。
【背景技術】
【０００２】
図５（Ａ）に示すように、携帯用魔法瓶等の飲料を保温状態又は保冷状態で収容する飲料容器は、容器本体１と、前記容器本体１の上部開口に装着されると共に容器本体の内部に連通する筒状の飲口部材２を備えた肩部材３と、前記飲口部材２の飲口２ａを閉鎖するシール手段４を備えた開閉自在なキャップ部材５を有する。
【０００３】
通常、前記キャップ部材５は、肩部材３の背面部に水平方向の枢軸６を介して枢結され、肩部材３に被冠される閉位置と肩部材３を開放する開位置との間で回動自在に構成されている。キャップ部材５は、閉位置で係脱自在な係止手段７に係止され、この状態から、指先で操作ボタン８を押すことにより係止から解放すると、キャップ部材５がスプリング９により開位置まで自動的に開き、飲料を飲用した後、キャップ部材５をスプリング９に抗して戻すと、再び閉位置に係止され、シール手段４が飲口２ａに密着して閉鎖する。
【０００４】
ところで、容器本体１に冷却された飲料を入れた後、容器本体１に肩部材３を装着し、キャップ部材２を閉じると、容器本体１の内部が気密状態となる。この際、容器本体1の内部の空気は、飲料により冷却され、これにより容器本体１の内部を減圧状態とするので、シール手段４を飲口２ａに吸着する。このため、操作ボタン８を押してキャップ部材２を開けようとしても、キャップ部材２が開かないことがある。
【０００５】
反対に、容器本体１に加熱された飲料を入れた後、容器本体１に肩部材３を装着し、キャップ部材２を閉じることにより容器本体１の内部を気密状態にしたときは、加熱された空気が飲料と共に冷めるに伴い、容器本体１の内部を減圧するので、前記の場合と同様に、シール手段４が飲口２ａに吸着され、キャップ部材２の開放を困難にする。
【０００６】
そこで、前記問題を解決するために、差圧弁を設けた飲料容器が提案されている。この提案された飲料容器は、図５（Ｂ）に示すように、飲口部材２の周囲に位置する肩部材３の平板部３ａに弾性素材により形成された差圧弁１０を設けている。これによれば、容器本体１の内部が減圧されたとき、差圧弁１０が通気孔１０ａを開放し、外気を導入するので、内部の圧力が大気圧と均衡し、シール手段４が飲口２ａに吸着することを防止できる。
【先行技術文献】
【特許文献】
【０００７】
【特許文献１】登録実用新案第３１２５８８０号公報
【発明の概要】
【発明が解決しようとする課題】
【０００８】
上述のような飲口部材２を設けた飲料容器は、飲み易さの点から、飲口部材２の直径を可及的大きく形成することが望ましく、従って、肩部材３の平板部３ａの面積が狭小とならざるを得ない。
【０００９】
ところが、図５に示すように、平板部３ａに差圧弁１０を設ける特許文献１の場合、差圧弁１０及び通気孔１０ａが極めて小さなものとなるので、弁機能が良好でない。そして、洗浄のために、差圧弁１０を取外す際には、必ず先に肩部材３を容器本体１から分離しなければならないという不便がある。しかも、洗浄後、再び差圧弁１０を装着する際にも、極めて小さく形成されたものであるため、作業が困難であり、特に、家庭の主婦等の素人には困難を極めるという問題がある。
【課題を解決するための手段】
【００１０】
本発明は、飲料の温度に起因してキャップ手段が飲口に吸着されることにより開放不能に至ることを防止する差圧弁手段を設けるに際して、上記課題を解決した飲料容器を提供するものである。そこで、その手段として構成したところは、保温状態又は保冷状態で収容された飲料により内部が減圧可能とされる容器本体(11)と、前記容器本体の上部開口に装着されると共に容器本体の内部に連通して該容器本体の上部開口よりも上方に向けて突出する筒状の飲口部材(12)を備えた肩部材(13)と、前記飲口部材(12)の飲口(12a)を閉鎖するシール手段(14)を備えると共に肩部材(13)に開閉自在に枢結されたキャップ手段(15)とから成り、前記シール手段(14)は、飲口(12a)に対向するようにキャップ手段(15)から突設されると共にキャップ手段(15)の内側面に臨むスリットを設けた筒状手段(26)と、前記筒状手段(26)の先端側に着脱自在に周設され前記飲口(12a)を閉鎖する環状のシールパッキン(28)と、前記筒状手段(26)の先端を閉鎖する閉鎖部に貫設された通孔(30)と、前記閉鎖部の外側から通孔(30)を開閉自在に閉じる着脱自在な弁部材(31)を備えており、前記弁部材(31)は、前記飲料の温度に起因して容器本体の内部が減圧されると飲口(12a)の内部に向け弾性変形して前記通孔(30)を開放し、容器本体の内部が大気圧に戻ると弾性復元して前記通孔(30)を閉鎖することにより、シールパッキン(28)が飲口(12a)に吸着されることを防止する差圧弁手段(32)を構成して成る点にある。
【００１１】
本発明の好ましい実施形態において、前記弁部材(31)は、前記閉鎖部の中心貫通孔に挿入される軸部(31a)と、該軸部(31a)から広がることにより前記通孔(30)を覆うと共に周縁部を前記閉鎖部の表面に弾接して密着する傘部(31c)を備え、前記傘部(31c)の周縁に下向きに突出する環状リブ(31d)を設けている。
【００１２】
前記筒状手段(26)は、外径を飲口(12a)の内径(D)よりも小さく形成すると共に、前記シールパッキン(28)により飲口(12a)を閉鎖させた状態で、前記差圧弁手段(32)が飲口(12a)の内部に進入して位置するように構成されている。
【発明の効果】
【００１３】
請求項１に記載の本発明によれば、肩部材１３から起立する飲口部材１２の飲口1２ａをキャップ手段１５の筒状手段２６に周設したシール手段１４により閉鎖する構成において、前記筒状手段２６にスリット３６、３７を設けると共に、筒状手段２６の先端を閉鎖する閉鎖部に貫設した通孔３０を開閉する弁部材３１を設けた構成であるから、弁部材３１を飲口1２ａに位置させた状態で、収容された飲料の温度に起因して容器本体１１の内部が減圧されたときは飲口１２ａの内部に向け弾性変形して前記通孔３０を開放し、容器本体の内部が大気圧に戻ると弾性復元して前記通孔３０を閉鎖することにより、シールパッキン２８が飲口１２ａに吸着されることを防止する差圧弁手段３２を好適に構成することが可能となる。
【００１４】
特に、弁部材３１は、飲料を収容した容器本体１１の上部開口よりも上方の飲口1２ａに位置して設けられる構成であるから、飲料から離れており、差圧弁手段３２を好適に機能させることができる。
【００１５】
そして、シールパッキン２８と弁部材３１の何れも着脱自在な構成であるから、容易に洗浄できるという効果がある。特に、シール手段１４と差圧弁手段３２は、キャップ手段１５から突出する筒状手段２６の先端側に設けられているので、洗浄のために、シールパッキン２８及び弁部材３１を取外す際に、肩部材１３を容器本体１１から分離しなくても、キャップ手段１５を開くだけで、開いた状態のキャップ手段１５から突出する筒状手段２６の先端側で取外し可能であるという便利があり、しかも、同じ個所においてシールパッキン２８と弁部材３１を同時に取外して洗浄できるという便利がある。
【００１６】
請求項２に記載の本発明によれば、弁部材３１は、傘部３１ｃの周縁に下向きに突出する環状リブ３１ｄを設けているので、傘部３１ｃの外周縁を真円形に保形すると共に、弁部材３１を指先で取外す際の摘み部を提供できる。
【００１７】
請求項３に記載の本発明によれば、筒状手段２６の外径を飲口１２ａの内径Ｄよりも小さく形成すると共に、シールパッキン２８により飲口１２ａを閉鎖させた状態で、差圧弁手段３２が飲口１２ａの内部に進入して位置するように構成している。従って、飲口１２ａの内部空間には差圧弁手段３２の動作を妨げるようなものは存在しないので、差圧弁手段３２を良好に作動させることできる。
【図面の簡単な説明】
【００１８】
【図１】本発明の１実施形態を示す縦断側面図である。
【図２】本発明の１実施形態に係るキャップ部材の開閉作用を示す縦断側面図である。
【図３】本発明の１実施形態に係るシール手段と閉鎖手段と差圧弁手段を示しており、（Ａ）は縦断側面図、（Ｂ）は要部の拡大断面図である。
【図４】本発明の１実施形態に係る差圧弁手段の作用を示す縦断側面図である。
【図５】従来技術を示しており、（Ａ）は肩部材とキャップ部材を示す縦断側面図、（Ｂ）は差圧弁の拡大断面図である。
【発明を実施するための形態】
【００１９】
以下図面に基づいて本発明の好ましい実施形態を詳述する。
【００２０】
図１及び図２に示すように、飲料容器は、飲料を保温状態又は保冷状態で収容する容器本体１１と、前記容器本体１１の上部開口に装着されると共に容器本体１１の内部に連通する筒状の飲口部材１２を備えた肩部材１３と、前記飲口部材１２の飲口１２ａを閉鎖するシール手段１４を備えた開閉自在なキャップ部材１５を有する。
【００２１】
前記キャップ部材１５は、肩部材１３の背面部に水平方向の枢軸１６を介して枢結され、肩部材１３に被冠される閉位置と肩部材１３を開放する開位置との間で回動自在に構成されている。キャップ部材１５は、閉位置で係脱自在な係止手段１７に係止され、この状態から、指先で操作ボタン１８を押すことにより係止から解放すると、キャップ部材１５がスプリング１９により開位置まで自動的に開き、飲料を飲用した後、キャップ部材１５をスプリング１９に抗して戻すと、再び閉位置に係止され、シール手段１４が飲口１２ａに密着して閉鎖する。
【００２２】
容器本体１１は、例えば、ステンレス製の内外容器２０ａ、２０ｂにより真空断熱壁を形成した魔法瓶タイプとされ、雄ネジ２１ａを形成した開口縁２２を上向きに径小に形成して延設している。
【００２３】
肩部材１３は、合成樹脂により成形され、前記雄ネジ２１ａに螺合する雌ネジ２１ｂを形成した肩部１３ｂの上部に平板部１３ａを形成し、該平板部１３ａから飲口部材１２を立設しており、該飲口部材１２の下端部に平板部１３ａに向かう傾斜拡径部１２ｂを形成している。
【００２４】
このような飲料容器は、係止手段１７を有する正面側からユーザが飲口１２ａに唇を当て、飲料容器を傾けることにより容器本体１１に充填された飲料を飲用する。図１に示すように、飲口部材１２は、飲み易さの点から、該飲口部材１２の内径Ｄを可及的大きく形成することが望ましく、飲料の流出と外気の流入を良好にするために、前記のような傾斜拡径部１２ｂを形成することが望ましい。従って、図１に示すように、前記傾斜拡径部１２ｂを囲む平板部１３ａの幅Ｗが狭小にならざるを得ず、幅Ｗが前記内径Ｄの２分の１以下、つまり、２Ｗ＜Ｄ（最大の場合でもＷ＜Ｄ）となる。
【００２５】
キャップ部材１５は、スプリング１９に抗して閉位置まで回動したとき、係止手段１８によりワンタッチで自動的に係止される。キャップ部材１５には施錠手段２３が上下スライド自在に設けられており、キャップ部材１５を閉位置に回動したとき、該施錠手段２３が前記係止手段１７に対向する。即ち、施錠手段２３を下動することにより、前記係止手段１７の操作ボタン１８が施錠され、押動不能となるように構成している。従って、飲料を飲用するときは、図２に矢印Ｆ１で示すように施錠手段２３を上動させることにより操作ボタン１８を解放し、この状態から矢印Ｆ２で示すように操作ボタン１８を押せば、係止手段１７が解除され、矢印Ｆ３で示すようにキャップ部材１５がスプリング１９により開位置まで自動的に開き、開いたキャップ部材１５はスプリング１９により開位置を保持する。
【００２６】
尚、図例の場合、施錠手段２３は、スプリングにより両側に向けて進退自在に突出する保持手段２４を備えており、一対の縦壁２５の間で上下にスライド自在とされ、施錠手段２３を上動した解錠位置と下動した施錠位置の両位置において、前記縦壁２５に保持手段２４を嵌合係止させる凹部を設けている。
【００２７】
図３に示すように、前記シール手段１４は、飲口１２ａに対向するようにキャップ手段１５の内側から突設されると共に内部空間を外気に連通させた筒状手段２６と、該筒状手段２６の先端を閉鎖する閉鎖手段２７と、前記筒状手段２６の先端周部に着脱自在に取着されるシールパッキン２８とから構成されている。
【００２８】
前記閉鎖手段２７は、前記筒状手段２６の先端筒部を塞ぐ閉塞板部２９と、該閉塞板部２９に貫設された通孔３０と、該通孔３０を開閉自在に閉じる弁部材３１とから構成され、前記弁部材３１は、容器本体１１の内部が減圧されると弾性変形により前記通孔３０を開放し、容器本体１１の内部が大気圧に戻ると弾性により前記通孔３０を閉鎖する差圧弁手段３２を構成している。
【００２９】
これにより、従来技術に関して上述した通り、飲料の温度に起因して容器本体１１の内部が減圧されたとき、通気孔３０の開放により外気を導入するので、内部の圧力が大気圧と均衡し、シールパッキン２８が飲口１２ａに吸着することを防止できる。
【００３０】
図３（Ａ）に基づいて図示実施形態の詳細を説明すると、前記筒状手段２６は、キャップ手段１５から一体に突設された外筒部材３３と、前記閉塞板部２９を一体に備えた内筒部材３４とから構成され、前記内筒部材３４を外筒部材３３に挿入し、相互に超音波溶接や高周波溶接等により固着される。この際、図示のように、キャップ手段１５に前記外筒部材３３と同心状のリブ３５を形成し、内筒部材３４の挿入端を前記リブ３５と外筒部材３３の間に嵌入させるように構成することが好ましい。
【００３１】
前記外筒部材３３と内筒部材３４は、キャップ手段１５の内側面に近傍する個所に位置して、相互に連通するスリット３６、３７を形成しており、これにより筒状手段２６の内部空間３８をキャップ手段１５の内部空間に連通させ、更に該キャップ手段１５と肩部材１３の間の隙間を介して外気に連通させている。
【００３２】
内筒部材３４を外筒部材３３に挿着した状態で、内筒部材３４は、外筒部材３３の先端部３３ａから突出する突出部３４ａを形成する。この際、前記突出部３４ａの突出端の外周面にはフランジ３４ｂを形成することが好ましい。
【００３３】
前記シールパッキン２８は、シリコンゴムその他のゴム等の弾性素材により環状に一体成形されており、前記内筒部材３４の突出部３４ａの外周面に嵌着される内向きの突周条２８ａと、前記外筒部材３３の先端部３３ａの外周面に嵌着されるスカート部２８ｂを一体に形成しており、１個のシールパッキン２８を弾着させるだけで、外筒部材３３と内筒部材３４の接合面を良好にシールする。図示実施形態の場合、突周条２８ａは、内筒部材３４のフランジ３４ｂと外筒部材３３の先端部３３ａの間に形成された周溝に嵌入され、これにより筒状手段２６の軸方向に関して移動不能に固定される。従って、キャップ手段１５を閉じることによりシールパッキン２８を飲口１２ａに圧着させたとき、該シールパッキン２８は、捲れ上がって脱落するようなことはなく、筒状手段２６の所定位置に確実に固定された状態で飲口１２ａを好適にシールする。
【００３４】
前記弁部材３１は、シリコンゴムその他のゴム等の弾性素材により一体成形され、閉塞板部２９の中心貫通孔に挿入される軸部３１ａと、該軸部３１ａの先端で閉塞板部２９の裏面に係止する円錐状の突部３１ｂと、軸部３１ａの基端から広がって前記通孔３０を覆うと共に周縁部を閉塞板部２９の表面に弾接して密着する傘部３１ｃを備えており、好ましくは、傘部３１ｃの周縁に下向きに突出する環状リブ３１ｄを設けている。前記環状リブ３１ｄは、傘部３１ｃの外周縁を真円形に保形すると共に、弁部材３１を指先で取外す際の摘み部を提供する。
【００３５】
従って、常時は、弁部材３１により閉塞板部２９の通孔３０が閉じられている。このため、キャップ手段１５を閉位置に回動することによりシール手段１４で飲口１２ａを閉鎖した状態で、シールパッキン２８が飲口１２ａに密着すると共に、該シールパッキン２８の内周側の閉塞板部２９が弁部材３１により通孔３０を閉鎖されているので、飲料容器が転倒したような場合でも、飲料が飲口１２ａから漏出することはない。
【００３６】
そこで、上述のように、飲料の温度に起因して容器本体１１の内部が減圧され、大気圧に対して圧力差を生じると、図４に示すように、飲料を収容した容器本体１１の上部開口よりも上方の飲口１２ａに位置して、差圧弁手段３２を構成する弁部材３１の傘部３１ｃが弾性変形により周縁部を閉塞板部２９の表面から離反して通孔３０を開き、外気と連通する筒状手段２６の内部空間３８を容器本体１１の内部に連通させ、図示矢印のように外気を容器本体１１の内部に導入する。従って、容器本体１１の内部圧力が大気圧と均衡するので、シールパッキン２８が飲口１２ａに吸着されることはなく、キャップ手段１５の開放動作を妨げることはない。
【００３７】
尚、図示実施形態の場合、筒状手段２６の外径は、飲口部材１２の内径Ｄよりもやや小さく形成され、シールパッキン２８を飲口１２ａに密着させた状態で、弁部材３１及び閉塞板部２９が飲口１２ａに進入して位置しており、該飲口１２ａの内部空間には差圧弁手段３２の動作を妨げるようなものは存在しないので、差圧弁手段３２を良好に作動させることできる。
【００３８】
ところで、上述のように、飲口部材１２は、内径Ｄを必要十分に大きくすることにより飲み易く構成されているので、これに対応して、筒状手段２６及び差圧弁手段３２は、必要十分に大きく形成されている。これにより差圧弁手段３２の良好な動作を可能にする他、閉塞板部２９に対する弁部材３１の取付け・取外しの作業を容易とする。
【００３９】
特に、洗浄のために、弁部材３１を取外すとき、肩部材１３を容器本体１１から分離しなくても、キャップ手段１５を開き、該キャップ手段１５の内側面から突出する筒状手段２６の先端側で、弁部材３１を引き抜くことができるという便利がある。また、同じ個所の筒状手段２６に設けられたシールパッキン２８を同時に取外して洗浄できるという便利がある。
【００４０】
そして、洗浄後、再び弁部材３１を閉塞板部２９に装着する際にも、弁部材３１は、必要十分に大きく形成されているので、作業が容易であり、特に、家庭の主婦等の素人にとって取付け・取外しの作業に困難を伴わないことは、大きな意義がある。
【符号の説明】
【００４１】
１１  容器本体
１２  飲口部材
１２ａ  飲口
１３  肩部材
１４  シール手段
１５  キャップ手段
２６  筒状手段
２７  閉鎖手段
２８  シールパッキン
２８ａ  突周条
２８ｂ  スカート部
２９  閉塞板部
３０  通孔
３１  弁部材
３１ａ  軸部
３１ｂ  突部
３１ｃ  傘部
３２  差圧弁手段
３３  外筒部材
３３ａ  先端部
３４  内筒部材
３４ａ  突出部
３４ｂ  フランジ
３６、３７  スリット
３８  内部空間
【図１】
0004939632.tif 000002
【図２】
0004939632.tif 000003
【図３】
0004939632.tif 000004
【図４】
0004939632.tif 000005
【図５】
0004939632.tif 000006